(57)【要約】      （修正有）【課題】加熱不足や過加熱なく適正な時間で食品を加熱することができる高周波加熱調理器を提供する。【解決手段】本体と、本体に設け被加熱物を入れて加熱する加熱室と、被加熱物を加熱するレンジ加熱手段と、被加熱物の重量を測定する重量センサーと、被加熱物の表面温度を検出する赤外線センサーと、重量センサーからの重量情報と赤外線センサーからの温度情報をもとに前記レンジ加熱手段を制御する制御手段と、を備え、制御手段は、被加熱物の加熱を特定時間行った時の温度上昇値に応じて被加熱物の初期の温度情報を識別する高周波加熱調理器。【選択図】図４
2019090568.tif 000002
【特許請求の範囲】
【請求項１】
本体と、
該本体に設け被加熱物を入れて加熱する加熱室と、
前記被加熱物を加熱するレンジ加熱手段と、
前記被加熱物の重量を測定する重量センサーと、
前記被加熱物の表面温度を検出する赤外線センサーと、
前記重量センサーからの重量情報と前記赤外線センサーからの温度情報をもとに前記レンジ加熱手段を制御する制御手段と、を備え、
該制御手段は、前記被加熱物の加熱を特定時間行った時の温度上昇値に応じて前記被加熱物の初期の温度情報を識別することを特徴とする高周波加熱調理器。
【請求項２】
前記制御手段は、前記被加熱物の加熱を特定時間行った時の温度が上昇しているものは冷蔵食品又は常温食品と判断し、前記温度が上昇していないものは冷凍食品と判断することを特徴とする、請求項１に記載の高周波加熱調理器。
【発明の詳細な説明】
【技術分野】
【０００１】
本発明は、食品の表面温度を検出する赤外線センサーなどのセンサー情報に基づいて、食品の加熱制御を行う高周波加熱調理器に関するものである。
【背景技術】
【０００２】
従来の、食品の表面温度を検出する赤外線センサーなどのセンサー情報に基づいて、食品の加熱制御を行う高周波加熱調理器においては、特許文献１に記載されているように、加熱開始後の被加熱物の食品温度をモニタし、その温度によって、冷凍食品、冷蔵食品、常温食品の識別を行い、それによって被加熱物が、設定温度に到達した後に追加加熱を行うか行わないかを決定するものであった。
【先行技術文献】
【特許文献】
【０００３】
【特許文献１】特開２００１−３０４５６５号公報
【発明の概要】
【発明が解決しようとする課題】
【０００４】
上記した特許文献１の構成では、冷凍食品の表面が溶けかけている場合に、食品表面の温度を読み取ってしまうため、冷蔵食品と判定してしまう場合がある。また、赤外線センサーの視野の一部には加熱室の底面など食品以外を含む場合があるため、加熱室内の温度が高いときには、食品が低温であっても高温とみなされ、冷凍食品を冷蔵食品と判定してしまう場合がある。そのように食品温度を誤って検出してしまうと、食品の加熱が不十分になってしまうという課題があった。
【課題を解決するための手段】
【０００５】
本発明は上記の課題を解決するためになされたものであり、本体１と、本体１に設け被加熱物を入れて加熱する加熱室２と、被加熱物を加熱するレンジ加熱手段と、被加熱物の重量を測定する重量センサー５と、被加熱物の表面温度を検出する赤外線センサー４１と、重量センサー５からの重量情報と赤外線センサー４１からの温度情報をもとにレンジ加熱手段を制御する制御手段９と、を備え、制御手段９は、被加熱物の加熱を特定時間行った時の温度上昇値に応じて被加熱物の初期の温度情報を識別するものである。
【発明の効果】
【０００６】
本発明によれば、加熱不足や過加熱なく適正な時間で食品を加熱することができる高周波加熱調理器を提供することが可能となる。
【図面の簡単な説明】
【０００７】
【図１】本発明の一実施例における加熱調理器のカバーを外してドアを開いた正面斜視図である。
【図２】本発明の一実施例における加熱調理器の側面図である。
【図３】同加熱調理器の概略的な制御回路構成を示すブロック図である。
【図４】本発明の一実施例の加熱制御を表すフローチャートである。
【発明を実施するための形態】
【０００８】
以下、本発明の一実施例について添付図面を用いて詳細に説明する。
【０００９】
図１〜図３に示すように、本実施例の加熱調理器は、本体１に加熱調理する食品等の被調理物を収容する加熱室２と、加熱室２の前方に設けられ被調理物を出し入れする開閉自在なドア３と、加熱室２の底面に設けられた被調理物を載置する回転しないテーブル４とを備えている。ドア３は上部に取っ手２６を備えている。
【００１０】
テーブル４の下部には、テーブル４を支える重量センサー５ａ、５ｂ、５ｃを備えており、この重量センサー５ａ、５ｂ、５ｃで検出される被調理物の重量に応じて調理時間を決定することができる。
【００１１】
また、加熱室２内の左奥上部には、サーミスタで構成する温度センサー４０が設けられており、この温度センサー４０が検出する温度に応じて調理出力、調理時間等を決定することもできる。
【００１２】
また、加熱室２内の中央奥上部には、赤外線センサー４１が設けられており、この赤外線センサー４１が検出する温度に応じて調理時間を決定することができる。
【００１３】
また、ドア３の中央部には大きく形成される窓部２３を備えており、調理中の加熱室２内を覗き見ることができる。さらにドア３の下側には、操作部６ａと表示部６ｂを備える操作表示部６が設けられている。
【００１４】
２５は加熱調理器の両側面と上面を覆うカバーである。
【００１５】
本実施例の加熱調理器は、電子レンジ調理を行うレンジ加熱手段、オーブン調理を行うオーブン加熱手段、グリル調理を行うグリル加熱手段、スチーム調理を行うスチーム加熱手段の４種類の調理方法を単独もしくは組み合わせて行うことにより多様な調理を行うことができる。
【００１６】
以下、加熱手段について説明する。
【００１７】
電子レンジ調理は、テーブル４上に載置した被調理物にマイクロ波を与え、被調理物内の水分等の分子を振動させることで発生する摩擦熱によって積極的に被調理物を加熱する調理方法である。この電子レンジ調理の特徴としては、被調理物の表面と内部の温度を同時に短時間で加熱して上昇させることが挙げられる。
【００１８】
電子レンジ調理を行うためのレンジ加熱手段は、本実施例の加熱調理器では、電子レンジ調理の加熱源であるマイクロ波を発振するマグネトロン７と、マグネトロン７から発振するマイクロ波の出力を制御するインバータ基板８を備えている。このインバータ基板８は制御手段９により制御され所望のマイクロ波を被調理物に与え電子レンジ加熱を行うことができる。
【００１９】
また、図２に示すように、マグネトロン７から発振したマイクロ波を加熱室２に導く導波管１０と、加熱室２にマイクロ波を攪拌しながら照射する回転アンテナ１１と、回転アンテナ１１を回転させるアンテナモータ１２を備えており、マイクロ波が一部に集中するのを防ぐため、制御手段９がアンテナモータ１２を制御して回転アンテナ１１を回転させて所望の攪拌動作を行っている。
【００２０】
マグネトロン７と、導波管１０と、回転アンテナ１１と、アンテナモータ１２は加熱室底２ａと底板３０との間の機械室１３に配置している。
【００２１】
次に、グリル調理について説明する。加熱室２の上壁面の外側に電熱ヒータ１４を備えている。この電熱ヒータ１４は制御手段９により制御され、加熱室２の上壁面を適切な温度にすることで、テーブル４上に載置した被調理物に所望の輻射熱（遠赤外線）を与えて被調理物を表面から焼き上げる加熱方法でグリル調理を行う。
【００２２】
次に、オーブン調理について説明する。オーブン調理は、テーブル４上に載置した被調理物に、加熱室奥２ｂの外側に設けた熱風ユニット１５により被調理物に熱風を与えることにより被調理物を加熱する加熱方法である。
【００２３】
オーブン調理を行うためのオーブン加熱手段は熱風ユニット１５によって構成され、熱風ユニット１５は、加熱室奥２ｂのほぼ中央に回転自在に設けられたファン等の送風手段１６と、この送風手段１６の空気流の流出側に設けられた電熱ヒータ１７と、送風手段１６に連結されたモータ１８とで構成される。
【００２４】
そして、電熱ヒータ１７付近の孔２１から出た熱風は被調理物を加熱し、被調理物を加熱した後の風は加熱室奥２ｂの略中央部に設けられた孔２２を介して再び熱風ユニット１５に取り込まれる。
【００２５】
次に、スチーム調理について説明する。スチーム調理は、テーブル４上に載置した被調理物にスチームを与え、被調理物を加熱する調理方法である。
【００２６】
スチーム調理を行うためのスチーム加熱手段は、加熱室２の下に着脱自在のタンク５０を備え、タンク５０の水をパイプ５１を通して給水手段１９で吸い上げてパイプ５２で供給された水を加熱してスチームを発生させる蒸気発生手段２０を備えている。蒸気発生手段２０は加熱室側面２ｃの外側に設けられ加熱室２に噴出口７ａを出している。
【００２７】
この給水手段１９と蒸気発生手段２０は制御手段９により制御され、加熱室２に所望の量のスチームを供給する。
【００２８】
そして、制御手段９に備えられたマイコン２１０は、レンジ加熱手段のマグネトロン７、インバータ基板８、オーブン加熱手段の電熱ヒータ１７とモータ１８、グリル加熱手段の電熱ヒータ１４、スチーム加熱手段の蒸気発生手段２０、給水手段１９を制御する。
【００２９】
本実施例は、以上の構成からなり、次に動作について図４を用いて説明する。
【００３０】
加熱室２に被加熱物である食品が入れられ、操作部６ａのスタートキー（図示せず）が押される（ステップ１０１）。制御手段９は、重量センサー５から重量情報を検出する。また、赤外線センサー４１により食品の初期の温度情報を検出し、冷凍食品か冷蔵/常温食品かを識別する（ステップ１０２）。この情報をもとに加熱時間を計算する（ステップ１０３）。
【００３１】
次に、制御手段９は、インバータ基板８のインバータ回路からマグネトロン７に供給する電力を制御し、マグネトロン７から供給されるマイクロ波によって食品を加熱する(ステップ１０４)。
【００３２】
加熱を開始してから調理時間の計測を開始し、ステップ１０５では、加熱を開始してから所定時間が経過したかを判定するものである。所定時間が経過するとステップ１０５でＹｅｓとなりステップ１０６に進む。
【００３３】
ステップ１０６では、赤外線センサー４１により食品の温度を検出（ステップ１０５）し、初期の温度からの温度上昇値を求めて、その温度上昇から食品の温度情報となる冷凍食品か冷蔵/常温食品かを再度識別する。
【００３４】
同じ出力で加熱した場合、冷凍食品は氷を溶かす必要がある分、冷蔵食品と比較して温度の上がり方は遅くなる。また、食品の温度上昇値を求めているので加熱されない加熱室の底面の温度の影響は少なくなり、正しく温度上昇値を求めることができる。そのため、所定時間経過後に温度が上昇しているものは冷蔵／常温食品と判断でき、逆に温度が上昇していないものは冷凍食品と判断できる。この再度識別した情報をもとに加熱時間を再計算する（ステップ１０７）。
【００３５】
ステップ１０８では、加熱時間が経過するまで加熱を継続するものである。加熱時間が経過するとステップ１０８でＹｅｓとなり、ステップ１０９でマイコン２１０はインバータ基板８にマグネトロン７からマイクロ波の発振を停止する指示を行い加熱が終了する。
【００３６】
以上説明した実施例によると、加熱開始直後に食品温度を誤って検出した場合でも、食品の温度上昇値を求める事によって適切な時間で食品を加熱することができる。そのため、加熱不足や過加熱なく食品を加熱することができる高周波加熱調理器を提供することが可能となる。
【符号の説明】
【００３７】
１・・・本体、２・・・加熱室、５・・・重量センサー、７・・・マグネトロン、９・・・制御手段、４１・・・赤外線センサー
【図１】
2019090568.tif 000003
【図２】
2019090568.tif 000004
【図３】
2019090568.tif 000005
【図４】
2019090568.tif 000006